(57)【要約】【課題】原稿の出力を行うことができるユーザの拡大を抑制して、高度なセキュリティを確保することができると共に、正規ユーザ等が出力を行う場合には、利便性を損なわないように、簡易な操作で出力を行うことができる画像処理装置等を提供する。【解決手段】複数枚の各原稿のパスワードの検出結果に基づいて、各原稿に固有のパスワードの他に複数枚の原稿全てに共通するパスワードが検出されたかどうかを判定するパスワード判定手段１５と、共通パスワードが検出された場合には、共通パスワードの入力を要求し、共通パスワードが検出されなかった場合には、原稿毎に個別パスワードの入力を要求する手段１５を備える。共通パスワードが入力された場合には、共通パスワードが付加された全ての原稿について画像データの出力を許可し、個別パスワードの入力要求に対し個別パスワードが入力された場合はその原稿についての画像データ出力を許可する。【選択図】  図１
2008109525.tif 000002
【特許請求の範囲】
【請求項１】
複数枚の原稿の画像データを入力する入力手段と、
前記各原稿に付加されたパスワードを検出するパスワード検出手段と、
前記パスワード検出手段による各原稿のパスワードの検出結果に基づいて、各原稿に固有の個別パスワードの他に前記複数枚の原稿全てに共通する共通パスワードが検出されたかどうかを判定するパスワード判定手段と、
前記パスワード判定手段により、前記共通パスワードが検出されたと判定された場合には、前記共通パスワードの入力を要求し、前記共通パスワードが検出されなかったと判定された場合には、前記各原稿毎に個別パスワードの入力を要求する入力要求手段と、
前記共通パスワードの入力要求に対して共通パスワードが入力された場合には、前記共通パスワードが付加された全ての原稿について、前記入力手段により入力された画像データの出力を許可し、個別パスワードの入力要求に対して個別パスワードが入力された場合にはその原稿についての画像データの出力を許可する出力許可手段と、
を備えたことを特徴とする画像処理装置。
【請求項２】
前記共通パスワードには一度に処理すべき原稿の枚数が設定されており、前記出力許可手段は、前記入力手段により画像データを入力された原稿の枚数が、設定されている枚数と異なる場合には、前記全ての原稿の画像データの出力を禁止する請求項１に記載の画像処理装置。
【請求項３】
前記共通パスワードには一度に処理すべき原稿の属性が設定されており、前記出力許可手段は、前記入力手段により画像データを入力された原稿に、設定された属性とは異なる属性のものが含まれている場合には、前記全ての原稿の画像データの出力を禁止する請求項１に記載の画像処理装置。
【請求項４】
複数枚の原稿の画像データを入力する入力手段と、
前記各原稿に付加された各原稿に固有の個別パスワードを検出するパスワード検出手段と、
前記パスワード検出手段により各原稿の個別パスワードが検出された場合には、前記各原稿毎に個別パスワードの入力を要求する入力要求手段と、
前記入力要求に対して入力された個別パスワードに基づいて、前記複数枚の原稿全てに共通する共通パスワードを生成するパスワード生成手段と、
前記生成された共通パスワードを表示する表示手段と、
前記生成された共通パスワードを各原稿の出力物に付加するパスワード付加手段と、
を備えていることを特徴とする画像処理装置。
【請求項５】
複数枚の原稿の画像データを入力する入力手段と、
前記各原稿に付加された各原稿に固有の個別パスワードを検出するパスワード検出手段と、
前記パスワード検出手段により各原稿の個別パスワードが検出された場合には、前記複数枚の原稿全てに共通する共通パスワードの入力を要求する入力要求手段と、
前記入力要求に対して入力された共通パスワードを各原稿の出力物に付加するパスワード付加手段と、
を備えていることを特徴とする画像処理装置。
【請求項６】
共通パスワードの入力を受け付ける受付手段と、
前記入力された共通パスワードから、出力すべき画像データに固有の個別パスワードを画像データの数だけ生成する生成手段と、
前記生成された個別パスワードを表示する表示手段と、
前記生成された個別パスワードと前記共通パスワードとを、各画像データの出力物に付加する付加手段と、
を備えたことを特徴とする画像処理装置。
【請求項７】
複数枚の原稿の画像データを入力するステップと、
前記各原稿に付加されたパスワードを検出するステップと、
前記パスワードの検出結果に基づいて、各原稿に固有の個別パスワードの他に前記複数枚の原稿全てに共通する共通パスワードが検出されたかどうかを判定するステップと、
前記パスワード判定ステップにより、前記共通パスワードが検出されたと判定された場合には、前記共通パスワードの入力を要求し、前記共通パスワードが検出されなかったと判定された場合には、前記各原稿毎に個別パスワードの入力を要求するステップと、
前記共通パスワードの入力要求に対して共通パスワードが入力された場合には、前記共通パスワードが付加された全ての原稿について、前記入力ステップにより入力された画像データの出力を許可し、個別パスワードの入力要求に対して個別パスワードが入力された場合にはその原稿についての画像データの出力を許可するステップと、
を備えたことを特徴とする画像処理方法。
【請求項８】
前記共通パスワードには一度に処理すべき原稿の枚数が設定されており、前記出力許可ステップでは、前記入力ステップにおいて画像データを入力された原稿の枚数が、設定されている枚数と異なる場合には、前記全ての原稿の画像データの出力を禁止する請求項７に記載の画像処理方法。
【請求項９】
前記共通パスワードには一度に処理すべき原稿の属性が設定されており、前記出力許可ステップでは、前記入力ステップにおいて画像データを入力された原稿に、設定された属性とは異なる属性のものが含まれている場合には、前記全ての原稿の画像データの出力を禁止する請求項７に記載の画像処理方法。
【請求項１０】
複数枚の原稿の画像データを入力するステップと、
前記各原稿に付加された各原稿に固有の個別パスワードを検出するステップと、
前記各原稿の個別パスワードが検出された場合には、前記各原稿毎に個別パスワードの入力を要求するステップと、
前記入力要求に対して入力された個別パスワードに基づいて、前記複数枚の原稿全てに共通する共通パスワードを生成するステップと、
前記生成された共通パスワードを表示するステップと、
前記生成された共通パスワードを各原稿の出力物に付加するステップと、
を備えていることを特徴とする画像処理方法。
【請求項１１】
複数枚の原稿の画像データを入力するステップと、
前記各原稿に付加された各原稿に固有の個別パスワードを検出するステップと、
前記パスワード検出手段により各原稿の個別パスワードが検出された場合には、前記複数枚の原稿全てに共通する共通パスワードの入力を要求するステップと、
前記入力要求に対して入力された共通パスワードを各原稿の出力物に付加するステップと、
を備えていることを特徴とする画像処理方法。
【請求項１２】
共通パスワードの入力を受け付けるステップと、
前記入力された共通パスワードから、出力すべき画像データに固有の個別パスワードを画像データの数だけ生成するステップと、
前記生成された個別パスワードを表示するステップと、
前記生成された個別パスワードと前記共通パスワードとを、各画像データの出力物に付加するステップと、
を備えたことを特徴とする画像処理方法。
【請求項１３】
複数枚の原稿の画像データを入力するステップと、
前記各原稿に付加されたパスワードを検出するステップと、
前記パスワードの検出結果に基づいて、各原稿に固有の個別パスワードの他に前記複数枚の原稿全てに共通する共通パスワードが検出されたかどうかを判定するステップと、
前記パスワード判定ステップにより、前記共通パスワードが検出されたと判定された場合には、前記共通パスワードの入力を要求し、前記共通パスワードが検出されなかったと判定された場合には、前記各原稿毎に個別パスワードの入力を要求するステップと、
前記共通パスワードの入力要求に対して共通パスワードが入力された場合には、前記共通パスワードが付加された全ての原稿について、前記入力ステップにより入力された画像データの出力を許可し、個別パスワードの入力要求に対して個別パスワードが入力された場合にはその原稿についての画像データの出力を許可するステップと、
を画像処理装置のコンピュータに実行させるための画像処理プログラム。
【請求項１４】
前記共通パスワードには一度に処理すべき原稿の枚数が設定されており、前記出力許可ステップでは、前記入力ステップにおいて画像データを入力された原稿の枚数が、設定されている枚数と異なる場合には、前記全ての原稿の画像データの出力を禁止する処理をさらにコンピュータに実行させる請求項１３に記載の画像処理プログラム。
【請求項１５】
前記共通パスワードには一度に処理すべき原稿の属性が設定されており、前記出力許可ステップでは、前記入力ステップにおいて画像データを入力された原稿に、設定された属性とは異なる属性のものが含まれている場合には、前記全ての原稿の画像データの出力を禁止する処理をさらにコンピュータに実行させる請求項１３に記載の画像処理プログラム。
【請求項１６】
複数枚の原稿の画像データを入力するステップと、
前記各原稿に付加された各原稿に固有の個別パスワードを検出するステップと、
前記各原稿の個別パスワードが検出された場合には、前記各原稿毎の個別パスワードの入力を要求するステップと、
前記入力要求に対して入力された個別パスワードに基づいて、前記複数枚の原稿全てに共通する共通パスワードを生成するステップと、
前記生成された共通パスワードを表示するステップと、
前記生成された共通パスワードを各原稿の出力物に付加するステップと、
を画像処理装置のコンピュータに実行させるための画像処理プログラム。
【請求項１７】
複数枚の原稿の画像データを入力するステップと、
前記各原稿に付加された各原稿に固有の個別パスワードを検出するステップと、
前記パスワード検出手段により各原稿の個別パスワードが検出された場合には、前記複数枚の原稿全てに共通する共通パスワードの入力を要求するステップと、
前記入力要求に対して入力された共通パスワードを各原稿の出力物に付加するステップと、
を画像処理装置のコンピュータに実行させるための画像処理プログラム。
【請求項１８】
共通パスワードの入力を受け付けるステップと、
前記入力された共通パスワードから、出力すべき画像データに固有の個別パスワードを画像データの数だけ生成するステップと、
前記生成された個別パスワードを表示するステップと、
前記生成された個別パスワードと前記共通パスワードとを、各画像データの出力物に付加するステップと、
を画像処理装置のコンピュータに実行させるための画像処理プログラム。
【発明の詳細な説明】
【技術分野】
【０００１】
この発明は、機密文書等の出力を管理可能なＭＦＰ（Multi Function peripferals）などに適用される画像処理装置、画像処理方法及び画像処理装置のコンピュータに画像処理を実行させるための画像処理プログラムに関する。
【背景技術】
【０００２】
例えば、機密保持の必要のある原稿を取り扱う場合、他人が勝手にコピー等できないように、原稿画像に地紋パターン等により付加情報を埋め込むと共に、埋め込まれた情報に基づいて原稿のコピー動作を制御することが、従来より行われている（例えば特許文献１〜３参照）。
【０００３】
しかし、上記のように原稿に埋め込まれた付加情報に基づいて原稿のコピー動作を制御する構成では、原稿の正規所有者等がコピーを行う場合もその動作が制限されてしまい、実に不便である。
【０００４】
そこで、特許文献４には、原稿の背景画像に埋め込まれたパターンから、出力禁止パターンが検出された場合には、パスワードを入力することで出力禁止を解除するようにした技術が開示されている。
【特許文献１】特開平６−２００２７号公報
【特許文献２】特開２００５−１５１１４９号公報
【特許文献３】特開２００５−１４８３９３号公報
【特許文献４】特開２００５−２０１０６９号公報
【発明の開示】
【発明が解決しようとする課題】
【０００５】
しかし、前記特許文献４に記載された技術は、出力禁止を解除するためのパスワードは画像処理装置に記憶されている認証用のパスワードであるから、画像処理装置の正規ユーザであれば文書の作成者等でなくても出力禁止を解除することができ、このため原稿のセキュリティ管理が今ひとつ十分ではないという問題があった。
【０００６】
この発明は、このような事情に鑑みてなされたものであって、原稿の出力を行うことができるユーザの拡大を抑制して、高度なセキュリティを確保することができると共に、正規ユーザ等が出力を行う場合には、利便性を損なわないように、簡易な操作で出力を行うことができる画像処理装置及び画像処理方法、並びに画像処理装置のコンピュータに画像処理を実行させるための画像処理プログラムの提供を目的とする。
【課題を解決するための手段】
【０００７】
上記課題は、以下の手段によって解決される。
（１）複数枚の原稿の画像データを入力する入力手段と、前記各原稿に付加されたパスワードを検出するパスワード検出手段と、前記パスワード検出手段による各原稿のパスワードの検出結果に基づいて、各原稿に固有の個別パスワードの他に前記複数枚の原稿全てに共通する共通パスワードが検出されたかどうかを判定するパスワード判定手段と、前記パスワード判定手段により、前記共通パスワードが検出されたと判定された場合には、前記共通パスワードの入力を要求し、前記共通パスワードが検出されなかったと判定された場合には、前記各原稿毎に個別パスワードの入力を要求する入力要求手段と、前記共通パスワードの入力要求に対して共通パスワードが入力された場合には、前記共通パスワードが付加された全ての原稿について、前記入力手段により入力された画像データの出力を許可し、個別パスワードの入力要求に対して個別パスワードが入力された場合にはその原稿についての画像データの出力を許可する出力許可手段と、を備えたことを特徴とする画像処理装置。
（２）前記共通パスワードには一度に処理すべき原稿の枚数が設定されており、前記出力許可手段は、前記入力手段により画像データを入力された原稿の枚数が、設定されている枚数と異なる場合には、前記全ての原稿の画像データの出力を禁止する前項１に記載の画像処理装置。
（３）前記共通パスワードには一度に処理すべき原稿の属性が設定されており、前記出力許可手段は、前記入力手段により画像データを入力された原稿に、設定された属性とは異なる属性のものが含まれている場合には、前記全ての原稿の画像データの出力を禁止する前項１に記載の画像処理装置。
（４）複数枚の原稿の画像データを入力する入力手段と、前記各原稿に付加された各原稿に固有の個別パスワードを検出するパスワード検出手段と、前記パスワード検出手段により各原稿の個別パスワードが検出された場合には、前記各原稿毎に個別パスワードの入力を要求する入力要求手段と、前記入力要求に対して入力された個別パスワードに基づいて、前記複数枚の原稿全てに共通する共通パスワードを生成するパスワード生成手段と、前記生成された共通パスワードを表示する表示手段と、前記生成された共通パスワードを各原稿の出力物に付加するパスワード付加手段と、を備えていることを特徴とする画像処理装置。
（５）複数枚の原稿の画像データを入力する入力手段と、前記各原稿に付加された各原稿に固有の個別パスワードを検出するパスワード検出手段と、前記パスワード検出手段により各原稿の個別パスワードが検出された場合には、前記複数枚の原稿全てに共通する共通パスワードの入力を要求する入力要求手段と、前記入力要求に対して入力された共通パスワードを各原稿の出力物に付加するパスワード付加手段と、を備えていることを特徴とする画像処理装置。
（６）共通パスワードの入力を受け付ける受付手段と、前記入力された共通パスワードから、出力すべき画像データに固有の個別パスワードを画像データの数だけ生成する生成手段と、前記生成された個別パスワードを表示する表示手段と、前記生成された個別パスワードと前記共通パスワードとを、各画像データの出力物に付加する付加手段と、を備えたことを特徴とする画像処理装置。
（７）複数枚の原稿の画像データを入力するステップと、前記各原稿に付加されたパスワードを検出するステップと、前記パスワードの検出結果に基づいて、各原稿に固有の個別パスワードの他に前記複数枚の原稿全てに共通する共通パスワードが検出されたかどうかを判定するステップと、前記パスワード判定ステップにより、前記共通パスワードが検出されたと判定された場合には、前記共通パスワードの入力を要求し、前記共通パスワードが検出されなかったと判定された場合には、前記各原稿毎に個別パスワードの入力を要求するステップと、前記共通パスワードの入力要求に対して共通パスワードが入力された場合には、前記共通パスワードが付加された全ての原稿について、前記入力ステップにより入力された画像データの出力を許可し、個別パスワードの入力要求に対して個別パスワードが入力された場合にはその原稿についての画像データの出力を許可するステップと、を備えたことを特徴とする画像処理方法。
（８）前記共通パスワードには一度に処理すべき原稿の枚数が設定されており、前記出力許可ステップでは、前記入力ステップにおいて画像データを入力された原稿の枚数が、設定されている枚数と異なる場合には、前記全ての原稿の画像データの出力を禁止する前項７に記載の画像処理方法。
（９）前記共通パスワードには一度に処理すべき原稿の属性が設定されており、前記出力許可ステップでは、前記入力ステップにおいて画像データを入力された原稿に、設定された属性とは異なる属性のものが含まれている場合には、前記全ての原稿の画像データの出力を禁止する前項７に記載の画像処理方法。
（１０）複数枚の原稿の画像データを入力するステップと、前記各原稿に付加された各原稿に固有の個別パスワードを検出するステップと、前記各原稿の個別パスワードが検出された場合には、前記各原稿毎に個別パスワードの入力を要求するステップと、前記入力要求に対して入力された個別パスワードに基づいて、前記複数枚の原稿全てに共通する共通パスワードを生成するステップと、前記生成された共通パスワードを表示するステップと、前記生成された共通パスワードを各原稿の出力物に付加するステップと、を備えていることを特徴とする画像処理方法。
（１１）複数枚の原稿の画像データを入力するステップと、前記各原稿に付加された各原稿に固有の個別パスワードを検出するステップと、前記パスワード検出手段により各原稿の個別パスワードが検出された場合には、前記複数枚の原稿全てに共通する共通パスワードの入力を要求するステップと、前記入力要求に対して入力された共通パスワードを各原稿の出力物に付加するステップと、を備えていることを特徴とする画像処理方法。
（１２）共通パスワードの入力を受け付けるステップと、前記入力された共通パスワードから、出力すべき画像データに固有の個別パスワードを画像データの数だけ生成するステップと、前記生成された個別パスワードを表示するステップと、前記生成された個別パスワードと前記共通パスワードとを、各画像データの出力物に付加するステップと、を備えたことを特徴とする画像処理方法。
（１３）複数枚の原稿の画像データを入力するステップと、前記各原稿に付加されたパスワードを検出するステップと、前記パスワードの検出結果に基づいて、各原稿に固有の個別パスワードの他に前記複数枚の原稿全てに共通する共通パスワードが検出されたかどうかを判定するステップと、前記パスワード判定ステップにより、前記共通パスワードが検出されたと判定された場合には、前記共通パスワードの入力を要求し、前記共通パスワードが検出されなかったと判定された場合には、前記各原稿毎に個別パスワードの入力を要求するステップと、前記共通パスワードの入力要求に対して共通パスワードが入力された場合には、前記共通パスワードが付加された全ての原稿について、前記入力ステップにより入力された画像データの出力を許可し、個別パスワードの入力要求に対して個別パスワードが入力された場合にはその原稿についての画像データの出力を許可するステップと、を画像処理装置のコンピュータに実行させるための画像処理プログラム。
（１４）前記共通パスワードには一度に処理すべき原稿の枚数が設定されており、前記出力許可ステップでは、前記入力ステップにおいて画像データを入力された原稿の枚数が、設定されている枚数と異なる場合には、前記全ての原稿の画像データの出力を禁止する処理をさらにコンピュータに実行させる前項１３に記載の画像処理プログラム。
（１５）前記共通パスワードには一度に処理すべき原稿の属性が設定されており、前記出力許可ステップでは、前記入力ステップにおいて画像データを入力された原稿に、設定された属性とは異なる属性のものが含まれている場合には、前記全ての原稿の画像データの出力を禁止する処理をさらにコンピュータに実行させる前項１３に記載の画像処理プログラム。
（１６）複数枚の原稿の画像データを入力するステップと、前記各原稿に付加された各原稿に固有の個別パスワードを検出するステップと、前記各原稿の個別パスワードが検出された場合には、前記各原稿毎の個別パスワードの入力を要求するステップと、前記入力要求に対して入力された個別パスワードに基づいて、前記複数枚の原稿全てに共通する共通パスワードを生成するステップと、前記生成された共通パスワードを表示するステップと、前記生成された共通パスワードを各原稿の出力物に付加するステップと、を画像処理装置のコンピュータに実行させるための画像処理プログラム。
（１７）複数枚の原稿の画像データを入力するステップと、前記各原稿に付加された各原稿に固有の個別パスワードを検出するステップと、前記パスワード検出手段により各原稿の個別パスワードが検出された場合には、前記複数枚の原稿全てに共通する共通パスワードの入力を要求するステップと、前記入力要求に対して入力された共通パスワードを各原稿の出力物に付加するステップと、を画像処理装置のコンピュータに実行させるための画像処理プログラム。
（１８）共通パスワードの入力を受け付けるステップと、前記入力された共通パスワードから、出力すべき画像データに固有の個別パスワードを画像データの数だけ生成するステップと、前記生成された個別パスワードを表示するステップと、前記生成された個別パスワードと前記共通パスワードとを、各画像データの出力物に付加するステップと、を画像処理装置のコンピュータに実行させるための画像処理プログラム。
【発明の効果】
【０００８】
前項（１）に記載された発明によれば、各原稿に付加されたパスワードが検出され、その検出結果に基づいて、各原稿に固有の個別パスワードの他に複数枚の原稿全てに共通する共通パスワードが検出されたかどうかが判定される。そして、共通パスワードが検出されたと判定された場合には、前記共通パスワードの入力を要求し、その要求に対して共通パスワードが入力された場合には、前記共通パスワードが付加された全ての原稿について、入力手段により入力された画像データの出力が許可される。つまり、正規ユーザ等がパスワードの付加された原稿の出力を行いたい場合には、共通パスワードを入力すればよいから、各原稿毎にパスワードを入力する必要はなく、簡単な操作で全ての原稿の出力が可能となる。しかも、共通パスワードは原稿に付加されているから、付加される共通パスワードをジョブ毎に変更することができ、従って共通パスワードを入力できるユーザも限定されるから、原稿の不正出力を防止し得て高いセキュリティを確保することができる。
【０００９】
一方、共通パスワードが検出されなかったと判定された場合には、前記各原稿毎の個別パスワードの入力が要求され、この要求に対して個別パスワードが入力された場合にはその原稿についての画像データの出力が許可される。つまり、この場合は原稿毎にパスワードが要求されると共に、原稿に付加される個別パスワードも原稿毎に変更できるから、やはり個別パスワードを入力できるユーザを限定でき、高いセキュリティを確保することができる。
【００１０】
前項（２）に記載された発明によれば、共通パスワードには一度に処理すべき原稿の枚数が設定されており、入力手段により画像データを入力された原稿の枚数が、設定されている枚数と異なる場合には、前記全ての原稿の画像データの出力が禁止されるから、さらに高いセキュリティを確保することができる。
【００１１】
前項（３）に記載された発明によれば、共通パスワードには一度に処理すべき原稿の属性が設定されており、入力手段により画像データを入力された原稿に、設定された属性とは異なる属性のものが含まれている場合には、前記全ての原稿の画像データの出力が禁止されるから、さらに高いセキュリティを確保することができる。
【００１２】
前項（４）に記載された発明によれば、各原稿の個別パスワードが検出された場合には、前記各原稿毎の個別パスワードの入力が要求され、入力された個別パスワードに基づいて、前記複数枚の原稿全てに共通する共通パスワードが生成されて、各原稿の出力物に付加されるから、個別パスワードとともに共通パスワードの付加された原稿を作成することができる。
【００１３】
前項（５）に記載された発明によれば、各原稿の個別パスワードが検出された場合には、複数枚の原稿全てに共通する共通パスワードの入力が要求され、入力された共通パスワードが各原稿の出力物に付加されるから、個別パスワードとともに共通パスワードの付加された原稿を作成することができる。
【００１４】
前項（６）に記載された発明によれば、外部から入力された共通パスワードから、出力すべき画像データに固有の個別パスワードが画像データの数だけ生成され、生成された個別パスワードと入力された共通パスワードとが、各画像データの出力物に付加されるから、個別パスワードと共通パスワードの付加された複数の原稿を作成することができる。
【００１５】
前項（７）に記載された発明によれば、正規ユーザ等がパスワード付加原稿の出力を行いたい場合には、共通パスワードを入力すればよいから、各原稿毎にパスワードを入力する必要はなく、簡単な操作で全ての原稿の出力が可能となる一方、共通パスワードは原稿に付加されており、付加される共通パスワードをジョブ毎に変更することができるから、高いセキュリティを確保することができる。
【００１６】
前項（８）に記載された発明によれば、画像データを入力された原稿の枚数が共通パスワードに設定されている枚数と異なる場合には、全ての原稿の画像データの出力が禁止されるから、さらに高いセキュリティを確保することができる。
【００１７】
前項（９）に記載された発明によれば、画像データを入力された原稿に、共通パスワードに設定されている属性とは異なる属性のものが含まれている場合には、全ての原稿の画像データの出力が禁止されるから、さらに高いセキュリティを確保することができる。
【００１８】
前項（１０）に記載された発明によれば、入力された個別パスワードに基づいて共通パスワードが生成されて、各原稿の出力物に付加されるから、個別パスワードとともに共通パスワードの付加された原稿を作成することができる。
【００１９】
前項（１１）に記載された発明によれば、入力された共通パスワードが各原稿の出力物に付加されるから、個別パスワードとともに共通パスワードの付加された原稿を作成することができる。
【００２０】
前項（１２）に記載された発明によれば、個別パスワードと共通パスワードの付加された複数の原稿を作成することができる。
【００２１】
前項（１３）に記載された発明によれば、正規ユーザ等により共通パスワードが入力された場合には、全ての原稿の出力が可能となる処理をコンピュータに実行させることができる。
【００２２】
前項（１４）に記載された発明によれば、画像データを入力された原稿の枚数が共通パスワードに設定されている枚数と異なる場合には、全ての原稿の画像データの出力を禁止する処理を、さらにコンピュータに実行させることができる。
【００２３】
前項（１５）に記載された発明によれば、画像データを入力された原稿に、共通パスワードに設定されている属性とは異なる属性のものが含まれている場合には、全ての原稿の画像データの出力を禁止する処理を、さらにコンピュータに実行させることができる。
【００２４】
前項（１６）に記載された発明によれば、入力された個別パスワードに基づいて共通パスワードを生成し、各原稿の出力物に付加する処理を、コンピュータに実行させることができる。
【００２５】
前項（１７）に記載された発明によれば、入力された共通パスワードを各原稿の出力物に付加する処理を、コンピュータに実行させることができる。
【００２６】
前項（１８）に記載された発明によれば、個別パスワードと共通パスワードを画像データの出力物に付加する処理を、コンピュータに実行させることができる。
【発明を実施するための最良の形態】
【００２７】
次に、この発明の一実施形態を図面に基づいて説明する。
【００２８】
図１は、この発明の一実施形態に係る画像処理装置を示すブロック図である。この画像処理装置は、図３に示すように、画像１０１の背景として特定パターンの地紋１０２が付加されている地紋付原稿１００を読み取り、前記地紋１０２に埋め込まれた情報に基づいてパスワードを検出するものであり、ＭＦＰ等の画像形成装置によって構成されている。
【００２９】
図１に示す画像処理装置は、画像読取部１１と、フレームメモリ１２と、情報検出部１３と、操作パネル１４と、ＣＰＵ１５を備えている。
【００３０】
前記画像読取部１１は、前記地紋付原稿１００の画像を読み取るものであり、スキャナ部によって構成されている。
【００３１】
前記フレームメモリ１２は、前記画像読取部１１によって原稿から読み取られた画像データを、ＣＰＵ１５の許可があるまで一旦蓄積するものである。
【００３２】
前記情報検出部１３は、原稿Ｍに付加された地紋に埋め込まれた情報を、原稿毎に検出する。
【００３３】
前記操作パネル１４は、ユーザが各種の操作や入力を行うものであり、図９及び図１０に示すように、表示部１４ａやキーボード部１４ｂ等を備えている。
【００３４】
前記ＣＰＵ１５は、図示しないＲＯＭ等の記憶媒体に記憶された動作プログラムを実行することにより、画像処理装置の全体を統括的に制御する。例えば、情報検出部１３によって検出された情報から、個別パスワード及び共通パスワードの抽出を行う。ここで、個別パスワードとは各原稿に固有のパスワードであり、共通パスワードとは複数枚の原稿が一セットをなすとき、その複数枚の原稿全てに共通して設定されるパスワードである。
【００３５】
さらにＣＰＵ１５は、共通パスワードや個別パスワードが抽出されたかどうかに応じて、前記操作パネル１４の表示部１４ａに共通パスワードや個別パスワードの入力を要求する画面を表示する。個別パスワードの入力要求を行う場合には、パスワード入力の対象となる画像を表示する。また、入力要求に応じて、正しい共通パスワードが入力された場合には、共通パスワードが埋め込まれた全ての原稿について、前記画像読取部１１で読み取られた画像データの出力を許可し、正しい個別パスワードが入力された場合にはその原稿についての画像データの出力を許可する。ＣＰＵ１５による上記のような制御等については、後述する。
【００３６】
図２は、画像データの流れに基づいた画像処理装置の機能的構成を示す図である。
【００３７】
図２において、前記画像読取部１１により読み取ったＲＧＢ画像データが第１のスキャナ画像処理部２１に入力される。第１のスキャナ画像処理部２１では、入力された画像データに対して、シェーディング補正、ライン間補正、色収差補正などを行う。
【００３８】
第１のスキャナ画像処理部２１で処理された画像データは、第２のスキャナ画像処理部２２に入力される。第２のスキャナ画像処理部２２では、画像データに対して、解像度変換、下地飛ばし処理、領域判別、ＲＧＢからＹＭＣＫへの変換処理、文字エッジ補正、誤差拡散などを行う。
【００３９】
第２のスキャナ画像処理部２２で処理された画像データは、コントローラ部２３に入力される。コントローラ部２３では、画像データに対して、圧縮、伸張処理を行う。
【００４０】
コントローラ部２３を経た画像データは、プリンタ画像処理部２４に入力される。プリンタ画像処理部２４は、プリントされる画像データに対して画像補正、画像合成（セキュリティ地紋打ち込み処理）、スクリーン処理等の処理を行ったのち、出力する。
【００４１】
一方、第１のスキャナ画像処理部２１で処理された画像データは、情報検出部１３であるセキュリティ地紋検出部２５にも入力される。セキュリティ地紋検出部２５では、前記第１のスキャナ画像処理部２１を経た画像データに対して、個別パスワード及び共通パスワードが埋め込まれた地紋１０２を検出するものであり、解像度変換、前処理、コード検出、コード解析などの各処理がＣＰＵ１による制御のもとで実行され、地紋１０２が検出される。
【００４２】
次に、図１及び図２に示した画像処理装置によって行われる出力許否判断処理を、図４〜図６のフローチャートを参照しつつ説明する。この処理は、ＣＰＵ１５が図示しないＲＯＭ等の記録媒体に記憶された動作プログラムに従って動作することにより実行される。
【００４３】
ステップＳ０１で、画像読取部１１により読み取られた原稿の画像データに、地紋による特定パターンが含まれているかが判断される。特定パターンが検出されなかった場合（ステップＳ０１でＮＯ）、セキュリティを確保する必要のない通常の原稿であるから、ステップＳ１０で、そのまま画像データの出力を許可する。
【００４４】
特定パターンが検出された場合（ステップＳ０１でＹＥＳ）、特定パターンに埋め込まれた情報を検出したのち（ステップＳ０２）、検出された情報内にパスワードが含まれているか否かを判断する（ステップＳ０３）。
【００４５】
パスワードが存在しなければ（ステップＳ０３でＮＯ）、ステップＳ１０に進み、画像データの出力を許可する。
【００４６】
パスワードが存在した場合（ステップＳ０３でＹＥＳ）、全ての原稿の読み取りが完了したか否かを判断する（ステップＳ０４）。全ての原稿の読み取りが完了していない場合には（ステップＳ０４でＮＯ）、ステップＳ０１に戻り、ステップＳ０１〜Ｓ０４を繰り返す。全ての原稿の読み取りが完了した場合には（ステップＳ０４でＹＥＳ）、ステップＳ０５に進み、それぞれのデータから互いに異なる複数のパスワードが抽出されたかどうかを調べる。複数のパスワードが抽出された場合には（ステップＳ０５でＹＥＳ）、ステップＳ０６に進む。
【００４７】
ステップＳ０６では、各原稿に共通の共通パスワードが存在するか否かを判断する。共通パスワードが存在した場合には（ステップＳ０６でＹＥＳ）、ステップＳ０８のパスワードチェック処理２に進み、このパスワードチェック処理２の実行後、本処理を終了する。
【００４８】
前記パスワードチェック処理２の内容を、図６のフローチャートで説明する。まず、ステップＳ０８０で、図９に示すように、操作パネル１４の表示部１４ａに共通パスワードの入力を促すメッセージを表示して、共通パスワードの入力を要求する。
【００４９】
次いで、ステップＳ０８１で、正しいパスワードが入力されたかどうか、換言すれば抽出された共通パスワードと入力されたパスワードが一致するかどうかを判断する。パスワードが一致した場合には（ステップＳ０８１でＹＥＳ）、ステップＳ０８２で、全ての原稿についての画像データに対して、出力許可を与えたのち、リターンする。
【００５０】
パスワードが一致しなかった場合には（ステップＳ０８１でＮＯ）、ステップＳ０８３で、全ての原稿についての画像データに対して、出力を禁止した後、リターンする。出力が禁止された場合には、フレームメモリ１２内の画像データを消去するようにしても良い。
【００５１】
図４に戻って、ステップＳ０６で、共通パスワードが存在しなかった場合には（ステップＳ０６でＮＯ）、ステップＳ０７のパスワードチェック処理１に進む。このパスワードチェック処理１の内容を、図５のフローチャートで説明する。
【００５２】
まず、ステップＳ０７１で、図１０に示すように、操作パネル１４の表示部１４ａに、１頁目の原稿の画像データ２０を表示するとともに、ステップＳ０７２で、同じく表示部１４ａに個別パスワードの入力を促すメッセージを表示して、個別パスワードの入力を要求する。
【００５３】
次いで、ステップＳ０７３で、正しいパスワードが入力されたかどうか、換言すれば抽出された１頁目の個別パスワードと入力されたパスワードが一致するかどうかを判断する。パスワードが一致した場合には（ステップＳ０７３でＹＥＳ）、ステップＳ０７４で、その画像データに対して出力許可を与えたのち、リターンする。
【００５４】
パスワードが一致しなかった場合には（ステップＳ０７３でＮＯ）、ステップＳ０７５で、その画像データに対して出力を禁止した後、リターンする。出力が禁止された場合には、フレームメモリ１２内の画像データを消去するようにしても良い。
【００５５】
こうして、パスワードチェック処理１を終了後、図４のステップＳ１１で、次頁の画像データがあるか否かを調べ、次頁の画像データがあれば（ステップＳ１１でＮＯ）、ステップＳ０７に戻って同様のパスワードチェック処理１を実行する。このようにして、各頁毎に個別のパスワードを要求し、出力の許否を決定していく。
【００５６】
図４のステップＳ１１において、全ての原稿の画像データについて、出力許否決定が行われると（ステップＳ１１でＹＥＳ）、本処理を終了する。
【００５７】
また、図４のステップＳ０５において、複数の異なるパスワードが抽出されなかった場合、すなわち単一の個別パスワードのみが抽出された場合には（ステップＳ０５でＮＯ）、ステップＳ０９のパスワードチェック処理１に進み、このパスワードチェック処理１の実行後、本処理を終了する。このパスワードチェック処理１は、図５に示した処理と同じであるから、詳細な説明は省略する。
【００５８】
出力を許可された画像データは、その後、図示しないプリンタ部等により印刷される。
【００５９】
このように、この実施形態では、各原稿に共通パスワードが付加されているときは、この共通パスワードを１回入力することにより、全ての原稿の画像データの出力が許可されるから、各原稿毎にパスワードを入力する必要はなくなり、簡単な操作で全ての原稿の出力が可能となり、正規ユーザ等の利便性を向上することができる。しかも、共通パスワードは原稿に埋め込まれているから、埋め込まれる共通パスワードをジョブ毎に変更することができ、従って共通パスワードを入力できるユーザも限定されることになる。このため、原稿の不正出力を防止し得て高いセキュリティを確保することができる。
【００６０】
一方、共通パスワードが検出されなかったと判定された場合には、前記各原稿に対して個別パスワードの入力が要求され、この要求に対して個別パスワードが入力された場合にはその原稿についての画像データの出力が許可される。つまり、この場合は原稿毎にパスワードが要求されると共に、原稿に埋め込まれる個別パスワードも原稿毎に変更できるから、やはり個別パスワードを入力できるユーザが限定されることになり、高いセキュリティを確保することができる。
【００６１】
図７は、パスワードチェック処理２（図４のステップＳ０８）の変形例を示すフローチャートである。この例では、共通パスワードに、入力されるべき原稿（画像データ）の枚数が設定されており、ＣＰＵ１５は、設定されている原稿枚数と、実際の原稿枚数（入力データ数）が異なる場合は、フレームメモリ１２内の画像データの出力を禁止するように構成されている。
【００６２】
まず、ステップＳ０８００で、図９に示すように、操作パネル１４の表示部１４ａに共通パスワードの入力を促すメッセージを表示して、共通パスワードの入力を要求する。
【００６３】
次いで、ステップＳ０８０１で、抽出された共通パスワードと入力されたパスワードが一致するかどうかを判断する。パスワードが一致した場合には（ステップＳ０８０１でＹＥＳ）、ステップＳ０８０２に進む。
【００６４】
ステップＳ０８０２では、共通パスワードに設定された原稿設定枚数を抽出したのち、ステップＳ０８０３で、読み取った原稿枚数と抽出された原稿枚数が同じかどうかを判断する。同じであれば（ステップＳ０８０３でＹＥＳ）、ステップＳ０８０４で、全ての原稿の画像データに対して、出力許可を与えたのち、リターンする。
【００６５】
読み取った原稿枚数と抽出された原稿枚数が同じでなければ（ステップＳ０８０３でＮＯ）、ステップＳ０８０５で、全ての原稿についての画像データに対して、出力を禁止した後、リターンする。また、ステップＳ０８０１で、共通パスワードが一致しなかった場合にも（ステップＳ０８０１でＮＯ）、ステップＳ０８０５で、全ての原稿の画像データに対して、出力を禁止する。出力が禁止された場合には、フレームメモリ１２内の画像データを消去するようにしても良い。
【００６６】
また、ステップＳ０８００・Ｓ０８０１とステップＳ０８０２・Ｓ０８０３との順を入れ替え、読み取り原稿枚数が設定原稿枚数と一致した場合（ステップＳ０８０３でＹＥＳ）のみ共通パスワード入力を要求（ステップＳ０８００）し、不一致であった場合（ステップＳ０８０３でＮＯ）には共通パスワード入力を要求することなく、対象データ出力を禁止（ステップＳ０８０５）するように構成しても良い。
【００６７】
このように、この実施形態では、共通パスワードに設定された原稿枚数と実際の原稿枚数とが異なる場合には、全ての原稿の画像データの出力が禁止されるから、さらに高いセキュリティを確保することができる。
【００６８】
図８は、パスワードチェック処理２（図４のステップＳ０８）のさらに他の変形例を示すフローチャートである。この例では、共通パスワードに、原稿の属性が設定されており、ＣＰＵ１５は、設定されている原稿の属性と、実際の原稿の属性が異なる場合は、フレームメモリ１２内の画像データの出力を禁止するように構成されている。
【００６９】
ここで、原稿の属性としては、例えば画像データのサイズ、データフォーマット、タイムスタンプ、文字・写真などの原稿種類、画像読取部１１により読み取られる用紙種類、用紙サイズ等が含まれる。
【００７０】
まず、ステップＳ０８１０で、図９に示すように、操作パネル１４の表示部１４ａに共通パスワードの入力を促すメッセージを表示して、共通パスワードの入力を要求する。
【００７１】
次いで、ステップＳ０８１１で、抽出された共通パスワードと入力されたパスワードが一致するかどうかを判断する。パスワードが一致した場合には（ステップＳ０８１１でＹＥＳ）、ステップＳ０８１２に進む。
【００７２】
ステップＳ０８１２では、共通パスワードに設定された原稿属性を抽出したのち、ステップＳ０８１３で、読み取った原稿の属性と抽出された原稿の属性が同じかどうかを判断する。同じであれば（ステップＳ０８１３でＹＥＳ）、ステップＳ０８１４で、全ての原稿の画像データに対して、出力許可を与えたのち、リターンする。
【００７３】
読み取った原稿の属性と抽出された原稿の属性が同じでなければ（ステップＳ０８１３でＮＯ）、ステップＳ０８１５で、全ての原稿についての画像データに対して、出力を禁止した後、リターンする。また、ステップＳ０８１１で、共通パスワードが一致しなかった場合にも（ステップＳ０８１１でＮＯ）、ステップＳ０８１５で、全ての原稿の画像データに対して、出力を禁止する。出力が禁止された場合には、フレームメモリ１２内の画像データを消去するようにしても良い。
【００７４】
また、ステップＳ０８１０・Ｓ０８１１とステップＳ０８１２・Ｓ０８１３との順を入れ替え、読み取り原稿属性が設定原稿属性と一致した場合（ステップＳ０８１３でＹＥＳ）のみ共通パスワード入力を要求（ステップＳ０８１０）し、不一致であった場合（ステップＳ０８１３でＮＯ）には共通パスワード入力を要求することなく、対象データ出力を禁止（ステップＳ０８１５）するように構成しても良い。
【００７５】
このように、この実施形態では、共通パスワードに設定された原稿の属性と実際の原稿の属性とが異なる場合には、全ての原稿の画像データの出力が禁止されるから、さらに高いセキュリティを確保することができる。
【００７６】
次に、この発明の他の実施形態を説明する。この実施形態は、画像読取部１１により読み取った複数枚の原稿に、共通パスワードが存在しない場合、あるいは個別パスワードが存在しない場合に、共通パスワードや個別パスワードを生成し、この生成されたパスワードを、読み取った原稿の画像データの出力物に埋め込む画像処理装置に係るものである。
【００７７】
図１１は、前記画像処理装置のブロック図である。この画像処理装置もＭＦＰ等の画像形成装置によって構成されている。
【００７８】
図１１に示す画像処理装置は、画像読取部１１と、フレームメモリ１２と、情報検出部１３と、操作パネル１４と、ＣＰＵ１５と、パスワード生成部１６と、合成部１７を備えている。
【００７９】
なお、画像読取部１１、フレームメモリ１２と、情報検出部１３と、操作パネル１４、ＣＰＵ１５は、図１に示した画像処理装置と同じ機能を有するため、それらの説明は省略する。
【００８０】
パスワード生成部１６は、各原稿毎の個別パスワードから共通パスワードを生成したり、共通パスワードから個別パスワードを生成する。
【００８１】
前記合成部１７は、パスワード生成部１６で生成された共通パスワードや個別パスワードを、フレームメモリ１２に記憶されている、画像読取部１１により読み取られた画像データと合成するものである。
【００８２】
図１２は、画像データの流れに基づいた画像処理装置の機能的構成を示す図であり、図２に示したものとほぼ同一であるが、次の点で相違している。即ち、図１２では、パスワード生成部１６が追加されており、パスワード生成部１６で生成された共通パスワードや個別パスワードが、特定パターンの地紋として画像データに埋め込まれる。
【００８３】
次に、図１１及び図１２に示した画像処理装置によって行われる共通パスワードの生成と埋め込み処理を、図１３のフローチャートを参照しつつ説明する。この処理は、ＣＰＵ１５が図示しないＲＯＭ等の記録媒体に記憶された動作プログラムに従って動作することにより実行される。
【００８４】
ステップＳ２１で、入力データに特定パターンが含まれていた場合、そこに埋め込まれた情報を検出し、その情報からパスワードの抽出を行う。
【００８５】
ステップＳ２２では、複数の入力画像データから互いに異なる複数のパスワードが抽出されたか否かを判断する。複数のパスワードが抽出されなかった場合（ステップＳ２２でＮＯ）、処理を終了する。複数のパスワードが検出された場合（ステップＳ２２でＹＥＳ）、ステップＳ２３で、共通パスワードが存在するかを判断する。
【００８６】
共通パスワードが検出された場合（ステップＳ２３でＹＥＳ）、共通パスワードを埋め込む必要はないから、処理を終了する。
【００８７】
共通パスワードが検出されなかった場合（ステップＳ２３でＮＯ）、個別パスワードの入力を要求するため、ステップＳ２４で、入力されていない個別パスワードが存在するかを判断する。
【００８８】
未入力個別パスワードが存在した場合（ステップＳ２４でＹＥＳ）、ステップＳ２５で、図１０に示すように、操作パネル１４の表示部１４ａに、対象の画像データを表示するとともに、ステップＳ２６で、同じく表示部１４ａに個別パスワードの入力を促すメッセージを表示して、その画像データに対応する個別パスワードの入力を要求する。
【００８９】
次いで、ステップＳ２７で、その画像データに対応するパスワードと入力されたパスワードが一致するかどうかを判断する。パスワードが一致した場合には（ステップＳ２７でＹＥＳ）、ステップＳ２８で、そのパスワードと対象データを記憶したのち、ステップＳ２４に戻る。この記憶されたパスワードは、後述するステップＳ３２での共通パスワードの生成に用いられる。パスワードが一致しなかった場合には（ステップＳ２７でＮＯ）、そのままステップＳ２４に戻る。
【００９０】
こうして、各原稿の画像データについて未入力のパスワードがなくなるまで、ステップＳ２４〜Ｓ２８を繰り返す。全ての画像データについてパスワードが入力されると（ステップＳ２４でＮＯ）、ステップＳ２９に進む。
【００９１】
ステップＳ２９では、ユーザによって共通パスワードが入力されたかどうかを判断する。共通パスワードが入力されなかった場合には（ステップＳ２９でＮＯ）、ステップＳ３２で、前記記憶されたパスワードに基づいて、新たな共通パスワードの生成を行い、ステップＳ３３で、生成したパスワードを表示部１４ａに表示してユーザに認識させた後、ステップＳ３０に進む。なお、ステップＳ２９で、ユーザによって共通パスワードが入力された場合には（ステップＳ２９でＹＥＳ）、そのままステップＳ３０に進む。
【００９２】
新たな共通パスワードの生成方法としては、例えば以下の方法が考えられる。
・各個別パスワードを合成する。
・各個別パスワードの先頭、または最終ビットを合成する。
・各個別パスワードのチェックサムを合成する。
・各個別パスワードの合計値を共通パスワードとする。
・予め決めたルールに則って、各個別パスワードの一部を抽出して合成する。
【００９３】
ステップＳ３０では、出力が許可された画像データについて特定パターンの地紋を除去し、次いでステップＳ３１で、ユーザによって入力された新たな共通パスワードまたは新たに自動生成された共通パスワードを、個別パスワードとともに情報として埋め込んだ特定パターンの地紋を作成し、この地紋を出力が許可された画像データへ再度埋め込む。なお、個別パスワードは既に埋め込まれていることから、特定パターンの地紋を消去することなく、共通パスワードのみを埋め込んでも良い。
【００９４】
本実施形態では、このような処理により、個別パスワードのみ埋め込まれた原稿の画像データに、共通パスワードを埋め込むことができ、個別パスワードと共通パスワードとを有する原稿の作成が可能となる。
【００９５】
次に、図１１及び図１２に示した画像処理装置によって行われる、個別パスワードの生成と共通パスワード及び個別パスワードの埋め込み処理を、図１４のフローチャートを参照しつつ説明する。この処理は、ＣＰＵが図示しないＲＯＭ等の記録媒体に記憶された動作プログラムに従って動作することにより実行される。
【００９６】
ステップＳ４１で、ユーザに対して共通パスワードとなるべきパスワードの入力を要求したのち、ステップＳ４２で、パスワードが入力されたかどうかを判断する。共通パスワードが入力されなければ（ステップＳ４２でＮＯ）、ステップ４１に戻って入力を要求する。共通パスワードが入力されると（ステップＳ４２でＹＥＳ）、ステップＳ４３で、複数の対象原稿用に個別パスワードを生成する。
【００９７】
生成方法としては、例えば以下の方法が考えられる。
・共通パスワードに連続番号を付与する。
・共通パスワードの先頭数ビットまたは最終数ビットを一定の規則で生成した数値と組み合わせる。
・共通パスワードのチェックサムを一定の規則で生成した数値と組み合わせる。
・対象画像データの特徴量（ヒストグラム、文字数等）から作成する。
【００９８】
次に、ステップＳ４４で、出力が許可された画像データについて特定パターンの地紋を除去し、ステップＳ４５で、ステップＳ４１で入力された共通パスワードと、ステップＳ４３で新たに生成された個別パスワードとを情報として埋め込んだ特定パターンの地紋を作成し、この地紋を画像データへ再度埋め込む。
【００９９】
次いで、ステップＳ４６で、画像データが終了したかどうかを判断し、対象となる画像データが無くなるまで、ステップＳ４３のパスワードの生成からステップＳ４５の埋め込みまでを繰り返す。
【０１００】
このような処理により、共通パスワードと個別パスワードが埋め込まれた原稿を作成することができる。
【０１０１】
以上、本発明の一実施形態を説明したが、本発明は上記実施形態に限定されることはない。
【０１０２】
例えば、共通パスワードと個別パスワードを情報として埋め込んだ特定パターンの地紋が、原稿に付加されている場合を説明したが、共通パスワードや個別パスワードを地紋の埋め込みによって付加するのではなく、例えばＩＣタグ等に記憶させて原稿に付加しても良いし、識別記号等の形態で付加しても良い。
【図面の簡単な説明】
【０１０３】
【図１】この発明の一実施形態に係る画像処理装置の構成を示すブロック図である。
【図２】図１に示す画像処理装置の画像データの流れに基づいた機能的構成を示す図である。
【図３】図１及び図２に示した画像処理装置によって読み取られる原稿の一例を示す図である。
【図４】図１及び図２に示した画像処理装置によって行われる出力許否判断処理を示すフローチャートである。
【図５】図４のフローチャートのパスワードチェック処理１のサブルーチンを示すフローチャートである。
【図６】図４のフローチャートのパスワードチェック処理２のサブルーチンを示すフローチャートである。
【図７】パスワードチェック処理２の変形例を示すフローチャートである。
【図８】パスワードチェック処理２の他の変形例を示すフローチャートである。
【図９】共通パスワードの入力要求画面である。
【図１０】個別パスワードの入力要求画面である。
【図１１】この発明の他の実施形態に係る画像処理装置のブロック図である。
【図１２】図１１に示す画像処理装置の画像データの流れに基づいた機能的構成を示す図である。
【図１３】図１１及び図１２に示した画像処理装置によって行われるパスワードの生成と埋め込み処理のフローチャートである。
【図１４】図１１及び図１２に示した画像処理装置によって行われる、個別パスワードの生成と共通パスワード及び個別パスワードの埋め込み処理のフローチャートである。
【符号の説明】
【０１０４】
１１    画像読取部
１２    フレームメモリ
１３    情報検出部
１４    操作パネル
１４ａ  表示部
１５    ＣＰＵ
１０１  原稿
１０２  画像
１０３  地紋
【図１】
2008109525.tif 000003
【図２】
2008109525.tif 000004
【図３】
2008109525.tif 000005
【図４】
2008109525.tif 000006
【図５】
2008109525.tif 000007
【図６】
2008109525.tif 000008
【図７】
2008109525.tif 000009
【図８】
2008109525.tif 000010
【図９】
2008109525.tif 000011
【図１０】
2008109525.tif 000012
【図１１】
2008109525.tif 000013
【図１２】
2008109525.tif 000014
【図１３】
2008109525.tif 000015
【図１４】
2008109525.tif 000016